(57)【要約】【課題】熱交換器の配管長さを延伸することなく、熱交換性能に優れた管式の熱交換器を提供する。【解決手段】内部を流体Ａが流れる第１の管３と、内部を流体Ｂが流れ、かつ、前記第１の管３内に複数配設された第２の管５とを備え、前記第２の管５を蛇腹形状６としたことを特徴とするもので、第２の管５の外表面に設けた蛇腹部６によって、流体Ａに対する伝熱面積の拡大が図られると共に、蛇腹部６に沿って流体Ａの流れが生じるため、第２の管５と第２の管５の間に生じる流体Ａの止水域を攪乱することができ、流体Ａの主流に熱を拡散させるようになり、熱交換性能の向上が図れるものである。【選択図】図２
2010255856.tif 000002
【特許請求の範囲】
【請求項１】
内部を流体Ａが流れる第１の管と、内部を流体Ｂが流れ、かつ、前記第１の管内に複数配設された第２の管とを備え、前記第２の管を蛇腹形状としたことを特徴とする熱交換器。
【請求項２】
第１の管を流れる流体Ａと第２の管を流れる流体Ｂとの流れが対向流れとなるように、前記第１の管と前記第２の管とのそれぞれに、流入口と流出口とを設けたことを特徴とする請求項１に記載の熱交換器。
【請求項３】
第２の管の流体Ｂの流出口から所定距離のみを、蛇腹形状としたことを特徴とする請求項２に記載の熱交換器。
【請求項４】
流体Ａを水とし、流体Ｂを二酸化炭素とした請求項１〜３のいずれか１項に記載の熱交換器。
【請求項５】
請求項１〜４のいずれか１項に記載の熱交換器を搭載したヒートポンプ給湯機。
【発明の詳細な説明】
【技術分野】
【０００１】
本発明は、空調装置、給湯装置等の機器に用いられ、特にヒートポンプ式の給湯機等のように、水等の流体と冷媒等の二種の流体を熱交換させるための熱交換器に関するものである。
【背景技術】
【０００２】
従来、この種の熱交換器としては、内部に冷媒用流路が形成された内管と、内管の外側に設けられ内管との間に水用流路を形成する外管とから構成された二重管式のものが知られている（例えば、特許文献１参照）。
【０００３】
図６、図７は、特許文献１に記載された従来の熱交換器を示すものである。
【０００４】
図６、図７に示すように、この熱交換器１０１は、二重管式の熱交換器であり、内部を冷媒用流路１０２とする内管１０３と、内管１０３の外側に設けられ、内管１０３との間に水用流路１０４を形成する銅製の外管１０５とから構成され、この熱交換器１０１の場合は、内管１０３が２本設けられている。
【０００５】
内管１０３は、銅製の冷媒管１０６と、冷媒管１０６の外周に設けられた銅製の漏洩検知管１０７とから構成され、冷媒管１０６を拡管するか、或いは、漏洩検知管１０７を縮管することにより、冷媒管１０６と漏洩検知管１０７を密着している。
【０００６】
また、漏洩検知管１０７の内面には、配管方向に沿って多数の漏洩検知溝（図示せず）が形成されており、漏洩検知溝内には空気層が形成されている。さらに、漏洩検知溝は外部に設けられた漏洩検知センサー（図示せず）に接続されており、内管１０３または外管１０５から漏洩した冷媒、あるいは水は、漏洩検知溝を介して外部に漏出し、前記漏洩検知センサーにより検知されるようになっている。
【０００７】
以上のように構成された熱交換器について、以下その動作を説明する。
【０００８】
熱交換器１０１は、内管１０３と外管１０５の二重管により形成され、内管１０３の外周を水が流れ、冷媒管１０６内を冷媒が流れるもので、熱伝導性の良い銅製で且つ密着された冷媒管１０６と漏洩検知管１０７を介して冷媒と水が熱交換されるようになっている。
【先行技術文献】
【特許文献】
【０００９】
【特許文献１】特開２００５−６９６２０号公報
【発明の概要】
【発明が解決しようとする課題】
【００１０】
しかしながら、上記従来の構成では、内管１０３の外表面積が水と接触する水側の伝熱面積であるため、熱交換性能を向上させるためには、熱交換器１０１の内管１０３、外管１０５を共に延長させる等して熱交換器１０１の容量、重量を増加させ、性能を向上させねばならないという課題を有していた。
【００１１】
さらに、外管１０５の中に２本の内管１０３を内含する構造上、内管１０３と内管１０３の間が狭くなり止水域が発生しやすくなり、その結果、伝熱性能が低下してしまう課題
も有していた。
【００１２】
本発明は、上記従来の課題を解決するもので、熱交換器の管長を延長させることなく熱交換性能を向上させることができる管式の熱交換器を提供することを目的とするものである。
【課題を解決するための手段】
【００１３】
上記従来の課題を解決するために、本発明の熱交換器は、内部を流体Ａが流れる第１の管と、内部を流体Ｂが流れ、かつ、前記第１の管内に複数配設された第２の管とを備え、前記第２の管を蛇腹形状としたことを特徴とするもので、第２の管の外表面に設けた蛇腹部によって、流体Ａに対する伝熱面積の拡大が図られると共に、蛇腹部に沿って流体Ａの流れが生じるため、第２の管と第２の管との間にあった止水域を攪乱することができ、熱交換性能の向上が図れるものである。
【発明の効果】
【００１４】
本発明によれば、熱交換器の管長を延長させることなく熱交換性能を向上させることができる管式の熱交換器を提供できる。
【図面の簡単な説明】
【００１５】
【図１】本発明の実施の形態１における熱交換器の側面図
【図２】同内管の構成を示す要部斜視図
【図３】図２のＡ部拡大図
【図４】同内管の構成を示す要部斜視図
【図５】同内管の構成を示す要部斜視図
【図６】従来の熱交換器の上面図
【図７】図６のＢ−Ｂ断面図
【発明を実施するための形態】
【００１６】
第１の発明は、内部を流体Ａが流れる第１の管と、内部を流体Ｂが流れ、かつ、前記第１の管内に複数配設された第２の管とを備え、前記第２の管を蛇腹形状としたことを特徴とするもので、第２の管の外表面に設けた蛇腹部によって、流体Ａに対する伝熱面積の拡大が図られると共に、蛇腹部に沿って流体Ａの流れが生じるため、第２の管と第２の管との間に生じる流体Ａの止水域を攪乱することができ、流体Ａの主流に熱を拡散させるようになり、熱交換性能の向上が図れるものである。
【００１７】
第２の発明は、第１の管を流れる流体Ａと第２の管を流れる流体Ｂとの流れが対向流れとなるように、前記第１の管と前記第２の管とのそれぞれに、流入口と流出口とを設けたことを特徴とするもので、流体Ａと流体Ｂの対向流に伴って流体Ａと流体Ｂの平均的な温度差を大きくすることができ、その結果、熱交換量を大きくすることができる。
【００１８】
第３の発明は、第２の管の流体Ｂの流出口から所定距離のみを、蛇腹形状としたことを特徴とするもので、流体Ａがカルシウムの析出が多い水の場合でも、カルシウムが析出し易い高温部に前記溝を設けていないため、カルシウムの付着を極力抑えることができ、これに伴い効率の良い熱交換を実現することができる。
【００１９】
第４、５の発明は、流体Ａを水とし、流体Ｂを二酸化炭素としたもので、熱交換器を、例えばヒートポンプ式給湯機用として、水と冷媒の間で熱交換を行う熱交換器として用いた場合、前記二酸化炭素は超臨界状態で動作し、フロン系の冷媒に比して密度が高い状態で作動するため、高いヒートポンプ効率を得ることができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１における熱交換器の側面図である。図２は、同実施の形態１における熱交換器の一部を切除した斜視図である。図３は、図２におけるＡ部の拡大図である。図４は、同実施の形態１における内管の構成を示す要部の斜視図である。
【００２２】
図１から図４において、熱交換器１は二重管式であり、内部を水（流体Ａ）２が流れる銅製の外管（第１の管）３と、外管３と同様に銅製であって、外管３内に配設され、内部を冷媒である二酸化炭素（流体Ｂ）４が流れる２本の内管（第２の管）５を主体に構成されている。
【００２３】
内管５は、図２に示す如く内管５の管軸を中心する蛇腹部６を所定間隔で多数備えている。蛇腹部６は図２に示す如く深さＨ１、長さＬ１、ピッチＰ１からなっている。
【００２４】
また、内管５は、冷媒管ａ（図示なし）と冷媒管ａの外周に設けられた漏洩検知管ｂ（図示なし）とから構成されている。冷媒管ａと漏洩検知管ｂは冷媒管ａを拡管するか、あるいは、漏洩検知管ｂを縮管することにより密着一体化されているものである。
【００２５】
そして、内管５は、図２に示す如く互いに螺旋状にねじり合わされ、その螺旋の中心が、外管３の軸心とほぼ同軸となるように外管３に内包されている。したがって、外管３内において、内管５との間を水２が流動する。しかもその流れは、内管５の螺旋に沿った旋回流となる。
【００２６】
さらに、外管３の両端、および内管５の両端には、それぞれ流入口３ａ、５ａと流出口３ｂ、５ｂが設けられており、内管５の冷媒である二酸化炭素４の流入口５ａ、流出口５ｂと、外管３の水２の流入口３ａ、流出口３ｂは、各々の流れが対向するように方向付けて設けられている。
【００２７】
また、内管５の蛇腹部６は、冷媒である二酸化炭素４の流出口５ｂから流入口５ａ側にかけて所定の範囲（所定の長さ）Ｘに設けられているのみで、その範囲Ｘを除く表面は、蛇腹部６がない状態に形成されている。
【００２８】
具体的な構成の一例として、図４に示す如く、内管５は、二種類の管体を採用し、所定の範囲Ｘに相当する部分（所定の位置から水２の入口３ａにわたる範囲）には表面に多数の蛇腹部６を具備する管５ｃを用い、それ以外の部分には、単純にパイプ加工された管５ｄを用い、両者をロウ付け等の手段によって連結し、その内管５を相互にねじり合わせた構成としている。
【００２９】
そして、管５ｄの内径は、管５ｃの外径と同等もしくは若干大きく設定され、冷媒である二酸化炭素４の流入口５ａまで連続した構成となっている。
【００３０】
ここで、以下の説明において所定の範囲Ｘを、説明の便宜上「低温部Ｘ」と称し、所定の範囲Ｘ以外の範囲を「高温部Ｙ」と称して説明する。
【００３１】
つまり、外管３内を流れる水２がカルシウムを含む場合、常温あるいは冷却されて低温で流れているとカルシウムの析出が生じ難く、加熱されて高温になると析出し易くなる性質がある。
【００３２】
このことに鑑みて、本実施の形態１の熱交換器１は、高温状態にある冷媒である二酸化炭素４と常温あるいは低温状態にある水２を熱交換するもので、外管３を流れる水２の温度において、比較的カルシウムの析出が生じ易い温度領域にある範囲、すなわち、冷媒である二酸化炭素４の流入口５ａ側に近い範囲を高温部Ｙと定義し、この高温部Ｙから冷媒である二酸化炭素４の流出口５ｂ側に向けての範囲、すなわち比較的カルシウムの析出が生じ難い温度領域を低温部Ｘと定義したものである。
【００３３】
さらに詳述すると、例えば、外管３を流れる水２の出湯温度を約９０℃とした場合、内管５を流れる冷媒である二酸化炭素４の温度が約６０℃程度の温度となる部分を境に低温部Ｘと高温部Ｙを定義したものである。
【００３４】
以上のように構成された熱交換器について、以下その動作を説明する。
【００３５】
それぞれの流入口３ａ、５ａから冷媒である二酸化炭素４と水２が流入することにより、内管５の内部をヒートポンプの冷媒とする冷媒である二酸化炭素４が流動し、外管３の内部における内管５との間を水２が流れる。
【００３６】
これらの流れ方向は、前述の如く流入口３ａ、５ａと流出口３ｂ、５ｂの方向付けにより、対向して流れ、内管５の壁を介して冷媒である二酸化炭素４と水２が熱交換する。
【００３７】
したがって、水２は外管３の流出口３ｂに近くなるにつれてその温度が上昇し、冷媒である二酸化炭素４は、流出口５ｂに近くなるにつれてその温度が低下する。
【００３８】
上記熱交換作用において、内管５の表面には、該内管５の軸方向において所定間隔をあけて蛇腹部６を設けているため、この蛇腹部６を流れる水２は、該蛇腹部６を渦状に流れ、内管５の壁面近傍の温度境界層を乱すこととなる。
【００３９】
２本の内管５は互いに螺旋状にねじり合わされているので、内管５の周囲を流れる水２は前述の如く旋回流となり、温度混合を加速させる効果がある。
【００４０】
さらに螺旋状にねじり合わされた内管５と内管５の接触部に生じた止水域に対して、所定の深さで内管５の周方向に亘る蛇腹部６が水２の流れる隙間を形成する。その結果、内管５の温度境界層を乱すことができ、より効率の良い熱交換を実現することができる。
【００４１】
さらに、複数の蛇腹部６を低温部Ｘに設け、高温部Ｙに設けないことで、水２の中に溶けているカルシウム成分の高温部Ｙでの付着を抑えることができ、このカルシウム成分の付着に伴う流路面積の減少が抑制でき、長期にわたる信頼性を確保することができる。
【００４２】
また、凹部７を低温部Ｘに設け、高温部Ｙには設けない構成とすることで、上述の蛇腹部６と同様に、水２の中に溶けているカルシウム成分の高温部への付着を抑えることができ、信頼性が向上する。
【００４３】
さらに、内管５における少なくとも低温部Ｘを除く、所謂高温部Ｙの管５ｄの径を、低温部Ｘの管５ｃの径より大きく設定しているため、比較的温度の高い範囲における冷媒である二酸化炭素４の圧力損失を抑制することができ、これに伴う熱交換効率の低下を抑制することができる。
【００４４】
また、水２と冷媒である二酸化炭素４を対向流としたことにより、水２と冷媒である二酸化炭素４との温度差を大きくして熱交換量を大きくすることができ、熱交換器１の能力を高めることができる。
【００４５】
このように、本実施の形態１における熱交換器１は、内管５内を流れる冷媒である二酸化炭素４と外管３内を流れる水２の熱交換作用を効果的に行うことができ、これにより熱交換器１の管長を延長させることなく、熱交換性能を高めることができるものである。
【００４６】
次に、上記構成を基調とする熱交換器の一部を変更した構成について説明する。
【００４７】
図５は、実施の形態１における熱交換器の内管の異なる構成を示す要部の斜視図である。
【００４８】
図５において、図４との相違は、高温部Ｙに用いる内管５ｅの表面に、蛇腹部６ａを設けた点である。
【００４９】
かかる構成により、内管５ｅの表面積の増加と、内管５ｅの表面を流れる水２の撹乱作用が向上し、熱交換器１の熱交換能力を高めることができるものである。
【００５０】
この高温部Ｙに設ける内管５ｅについては、水２に含まれるカルシウムの析出、付着を抑制するために、蛇腹部６ａについて、低温部Ｘよりも深さを浅く、かつ相互の配置間隔を広く設定する等の配慮を行っている。
【００５１】
尚、本発明の実施の形態１では、外管３内に配置する内管５の本数を２本としているが、それ以上の本数とすることもでき、同様の作用効果を期待することができる。
【００５２】
また、本実施の形態１において、蛇腹部６ａは、内管５を構成する管５ｃ、５ｅの周方向に所定間隔毎に配置する構成としたが、スパイラル状に配置する構成であっても同様の作用効果を期待することができる。
【００５３】
さらに、本発明の実施の形態１において、外管３、内管５を銅製としたが、少なくともいずれか一方を真鍮、ステンレス、耐食性を持った鉄、アルミ合金等を材料として構成しても、同様の作用効果が期待できる。
【００５４】
また、本発明の実施の形態１では、内管５を流れる冷媒を冷媒である二酸化炭素４としたが、ハイドロカーボン系やＨＦＣ系（Ｒ４１０Ａ等）の冷媒、あるいはこれらの代替冷媒とすることもできる。
【産業上の利用可能性】
【００５５】
以上のように、本発明にかかる熱交換器は、管長を長くして内管の伝熱面積を増加させることなく、熱交換器の熱交換性能を向上させることができるもので、冷媒である二酸化炭素を用いた超臨界ヒートポンプ式給湯器や、暖房用ブラインを加熱する超臨界ヒートポンプ装置、さらには、家庭用、業務用の空気調和機、あるいはヒートポンプによる乾燥機能を具備した洗濯乾燥機、穀物貯蔵倉庫等のヒートポンプ機器の他に、燃料電池等の熱交換用途にも適用できる。
【符号の説明】
【００５６】
１  熱交換器
２  水（流体Ａ）
３  外管（第１の管）
３ａ  流入口
３ｂ  流出口
４  二酸化炭素（流体Ｂ）
５  内管（第２の管）
５ａ  流入口
５ｂ  流出口
６  蛇腹部
【図１】
2010255856.tif 000003
【図２】
2010255856.tif 000004
【図３】
2010255856.tif 000005
【図４】
2010255856.tif 000006
【図５】
2010255856.tif 000007
【図６】
2010255856.tif 000008
【図７】
2010255856.tif 000009